(57)【要約】      （修正有）【課題】延出されて湾曲されることで多方向に挿着可能な導電板の構造を構成させ、単一の導電板から多くの挿着可能なホルダーが延出され、体積の縮小、材料の減少、及びコスト低下の効果が得られるソケット導電板の構成を提供する。【解決手段】ソケットには少なくとも１対の導電板１が主に内設されると共にプラグが挿設されて通電される。各導電板１には２つのホルダー１０が形成され、前記２つのホルダーが対応する挿入方向は垂直で、前記導電板は本体１１及び本体１１に構成されるホルダー１０の第一挟み板部１２並びに第二挟み板部１３を備える。これにより、導電板１からは多くの挿着用のホルダー１０が延出され、体積を縮小させて材料を減少させ、コストの低下を達成させる。【選択図】図１
0003190826.tif 000002
【実用新案登録請求の範囲】
【請求項１】
導電板に２つのホルダーが形成され、前記２つのホルダーが対応する挿入方向は垂直で、前記導電板は本体及び前記本体に別々に構成される前記ホルダーの第一挟み板部並びに第二挟み板部を備える、ソケット導電板の構成であって、
前記本体の内側辺からは前記第一挟み板部が湾曲されて延出され、前記第一挟み板部は前記本体に対し前記ホルダーを形成させ、前記本体の底部から前記第二挟み板部が湾曲されて延出され、前記第二挟み板部は前記本体に対し前記ホルダーを形成させることを特徴とするソケット導電板の構成。
【請求項２】
導電板に２つのホルダーが形成され、前記２つのホルダーが対応する挿入方向は垂直で、前記導電板は本体及び前記本体に別々に構成される前記ホルダーの第一挟み板部並びに第二挟み板部を備える、ソケット導電板の構成であって、
前記本体の内側辺からは前記第一挟み板部が湾曲されて延出され、前記第一挟み板部は前記本体に対し前記ホルダーを形成させ、前記本体の外側辺から前記第二挟み板部が湾曲されて延出され、前記第二挟み板部は前記本体に対し前記ホルダーを形成させることを特徴とするソケット導電板の構成。
【請求項３】
導電板に２つのホルダーが形成され、前記２つのホルダーが対応する挿入方向は垂直で、前記導電板は本体及び前記本体に別々に構成される前記ホルダーの第一挟み板部並びに第二挟み板部を備える、ソケット導電板の構成であって、
前記本体の外側辺からは前記第一挟み板部が湾曲されて延出され、前記第一挟み板部は前記本体に対し前記ホルダーを形成させ、前記本体の中央端面からプレス加工されて前記第二挟み板部が延出され、前記第二挟み板部は前記本体に対し前記ホルダーを形成させることを特徴とするソケット導電板の構成。
【考案の詳細な説明】
【技術分野】
【０００１】
本考案は、ソケット導電板の構成に関し、より詳しくは、延出されて湾曲されることで多方向に挿着可能な導電板の構造を構成させ、単一の導電板から多くの挿着可能なホルダーが延出され、体積の縮小、材料の減少、及びコスト低下の効果が得られるソケット導電板の構成に関する。
【背景技術】
【０００２】
ソケット及びプラグは主に各種電気機器の電源への接続に用いられる。電気機器は日増しに増加しており、ソケット及びプラグの使用頻度も増え、メーカーもソケット及びプラグに絶えず改良を加えて機能向上を進めている。
【０００３】
現在世界各国で使用されるプラグの差込口の形式は皆異なり、特に幾つかの国では２種類以上のプラグの差込口形式が使用される。例えば、中国ではＡ型、Ｃ型、及びＩ型のプラグの差込口が普遍的に使用されており、韓国ではＣ型、Ｆ型、及びＧ型のプラグの差込口が使用されている。台湾では多くはＡ型であり、一部Ｂ型のプラグの第三差込口（接地用）が使用されるが、２０００年以降に新築された建築物では大部分が第三差込口を有するが接地が不確実であり、多くの電気機器はＡ型の差込口に対応しており、Ｂ型も少なからず存在する。
【０００４】
プラグのピンを差込口に挿入させる場合、差込口内には導電銅板を設置させて通電状態を形成させる必要がある。また、住居や電気機器を使用する場所では、電源ソケットは固定位置に安定的に設置される。但し、電気機器の使用場所が遠すぎて電源コードの長さが足りない場合、延長コードを使用する。
また、一般的な延長コードは複数の電気機器に同時使用されるため、１つ或いは複数の差込口を有し、電気機器のプラグを挿設させ、固定の電源差込口から遠い場所でも使用でき、プラグの挿入空間を有効利用する。
多くの電源ソケットの差込口には異なる挿入方向が設定され、一般的には上或いは両側の異なる挿入方向へプラグを挿入させる。前述の多方向に挿入するソケットには一組の主要導電性銅板２が図７の様に内設され、各主要導電性銅板２からは各方向に対応する２枚の挟み板２１が延出され、これにより必要な方向に多方向の挟み板２１が延出されて設置される。
【考案の概要】
【考案が解決しようとする課題】
【０００５】
しかしながら、近年原材料が高騰し、特に導電及び挟み板の銅の価格が数倍にもなり尚も上昇している。上述の従来のソケットの多方向の対応する２枚の挟み板は組み合わされて連結されることでプラグのピンを挟持する機能を実現するが、銅材の使用量が増え、製造コストも大幅に増加し、製品の利潤及び市場での競争力に影響を与えた。
また上述の従来の技術では、材料の浪費及び高コストという欠点以外、導電銅板から挟み板が各方向に延出されるためソケットの内部空間も増え、このため体積も増加し、ソケット本体の材料の浪費に繋がり、製造コストも上昇する等の欠点もあった。
【０００６】
そこで、本考案者は上記の欠点が改善可能と考え、鋭意検討を重ねた結果、合理的かつ効果的に課題を改善する本考案のソケット導電板の構成の提案に到った。
【０００７】
本考案は、上述のような従来の問題を解決するためになされたもので、上記課題の解決のため、本考案は、導電板が占有する空間が大きく材料を浪費するという、従来技術の欠点を改善させるソケット導電板の構成を提供することを主目的とする。本考案では単一の導電板から複数の挿着可能なホルダーを延出させ、体積を縮小させて材料を減少させ、コスト低下の目的を達成させる。
【課題を解決するための手段】
【０００８】
上述した課題を解決し、目的を達成するために、本考案に係るソケット導電板の構成は、導電板には２つのホルダーが主に形成され、前記２つのホルダーが対応する挿入方向は垂直で、前記導電板は本体及び前記本体に別々に構成される前記ホルダーの第一挟み板部並びに第二挟み板部を備えるソケット導電板の構成であって、前記本体の内側辺からは前記第一挟み板部が湾曲されて延出され、前記第一挟み板部は前記本体に対し前記ホルダーを形成させ、前記本体の底部からは前記第二挟み板部が湾曲されて延出され、前記第二挟み板部は前記本体に対し前記ホルダーを形成させることを特徴とする。
【０００９】
導電板からは複数の挿着可能なホルダーが延出され、体積を縮小させて材料を減少させ、コスト低下の効果を達成させる。
【００１０】
請求項２に記載のソケット導電板の構成は、導電板には２つのホルダーが主に形成され、前記２つのホルダーが対応する挿入方向は垂直で、前記導電板は本体及び前記本体に別々に構成される前記ホルダーの第一挟み板部並びに第二挟み板部を備えるソケット導電板の構成であって、前記本体の内側辺からは前記第一挟み板部が湾曲されて延出され、前記第一挟み板部は前記本体に対し前記ホルダーを形成させ、前記本体の外側辺からは前記第二挟み板部が湾曲されて延出され、前記第二挟み板部は前記本体に対し前記ホルダーを形成させることを特徴とする。
【００１１】
請求項３に記載のソケット導電板の構成は、導電板には２つのホルダーが主に形成され、前記２つのホルダーが対応する挿入方向は垂直で、前記導電板は本体及び前記本体に別々に構成される前記ホルダーの第一挟み板部並びに第二挟み板部を備えるソケット導電板の構成であって、前記本体の外側辺からは前記第一挟み板部が湾曲されて延出され、前記第一挟み板部は前記本体に対し前記ホルダーを形成させ、前記本体の中央端面からはプレス加工されて前記第二挟み板部が延出され、前記第二挟み板部は前記本体に対し前記ホルダーを形成させることを特徴とする。
【００１２】
また、上述のソケット導電板の構成において、前記導電板の２つのホルダーはプラグの挿入方向に対応し、案内板がそれぞれ設けられる。
【図面の簡単な説明】
【００１３】
【図１】本考案の第１実施形態によるソケット導電板の構成を示す傾斜図である。
【図２】本考案の第１実施形態によるソケット導電板の構成の組合せを示す概略図である。
【図３】本考案の第２実施形態によるソケット導電板の構成を示す傾斜図である。
【図４】本考案の第２実施形態によるソケット導電板の構成の組合せを示す概略図である。
【図５】本考案の第３実施形態によるソケット導電板の構成を示す傾斜図である。
【図６】本考案の第３実施形態によるソケット導電板の構成の組合せを示す概略図である。
【図７】従来の技術を示す分解図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
本考案の実施形態に係るソケット導電板の構成は、導電板１には２つのホルダー１０が形成され、前記２つのホルダー１０が対応するプラグの挿入方向は垂直で、前記導電板１は本体１１及び本体１１に別々に構成されるホルダー１０の第一挟み板部１２並びに第二挟み板部１３を備える。前記本体１１には第一挟み板部１２及び第二挟み板部１３に対する以下の実施形態が存在する。
【００１６】
＜第１実施形態＞
以下、第１実施形態を図１〜２に基づいて説明する。前記本体１１の内側辺から第一挟み板部１２が湾曲されて延出され、前記第一挟み板部１２が湾曲された後、本体１１に対応してホルダー１０が形成され、本体１１の底部からは第二挟み板部１３が下に向け延出された後上に向け湾曲される。前記第二挟み板部１３は第一挟み板部１２に対応する側に位置され、前記第二挟み板部１３には同様に本体１１に対し他のホルダー１０が形成される。次に、更に前記２つのホルダー１０の開口端には案内板１４が設けられ、案内板１４によりプラグはスムーズに挿入される。
【００１７】
＜第２実施形態＞
また、以下、第２実施形態を図３〜４に基づいて説明する。前記本体１１の内側辺からは第一挟み板部１２が湾曲されて延出され、前記第一挟み板部１２が湾曲された後、本体１１に対応してホルダー１０が形成される。本体１１の外側辺からは内に向け湾曲される第二挟み板部１３が延出され、前記第二挟み板部１３は第一挟み板部１２に対応する側に位置され、前記第二挟み板部１３には同様に本体１１に対し他のホルダー１０が形成される。続いて、更に前記２つのホルダー１０の開口端には案内板１４が設けられ、案内板１４によりプラグはスムーズに挿入される。
【００１８】
＜第３実施形態＞
さらに、以下、第３実施形態を図５〜６に基づいて説明する。前記本体１１の外側辺からは第一挟み板部１２が湾曲されて延出され、前記第一挟み板部１２が湾曲された後、本体１１に対応してホルダー１０が形成される。本体１１の中央端面はプレス加工されて第二挟み板部１３が延出され、前記第二挟み板部１３には同様に本体１１に対し他のホルダー１０が形成される。続いて、更に前記２つのホルダー１０の開口端には案内板１４が設けられ、案内板１４によりプラグはスムーズに挿入される。
【００１９】
上述の実施形態から分かるように、本考案のソケット導電板の構成は、ソケットＡにはプラグを挿設させて通電を形成させる少なくとも１対の導電板１が主に内設され、導電板１からは複数の挿着可能なホルダー１０が延出される。導電母材の製造工程での材料が減少し、導電母材の使用量が減少することで体積も縮小し、コスト低下の効果をも達成させる。
【００２０】
上述の部材による構成及び実施の説明から、本考案と従来の構造との比較において、本考案は以下の長所を有することが理解できる。
１．本考案のソケット導電板の構成は、導電板から複数のプラグのピンが挿着可能なホルダーが湾曲されて延出され、材料が減少することでコストの低下が得られる。
２．本考案のソケット導電板の構成では、上述のように、導電材料が減少することで製品全体の体積や形状が改変され、体積の縮小を達成させる。
【００２１】
以上、本考案はこのような実施形態に限定されるものではなく、考案の趣旨を逸脱しない範囲において、種々の形態で実施することができる。
【符号の説明】
【００２２】
Ａ    ソケット
１    導電板
１０  ホルダー
１１  本体
１２  第一挟み板部
１３  第二挟み板部
１４  案内板
２    主要導電性銅板
２１  挟み板
【図１】
0003190826.tif 000003
【図２】
0003190826.tif 000004
【図３】
0003190826.tif 000005
【図４】
0003190826.tif 000006
【図５】
0003190826.tif 000007
【図６】
0003190826.tif 000008
【図７】
0003190826.tif 000009